(57)【要約】      （修正有）【課題】芯なしトイレットペーパーの中心穴に挿入して使用し、芯なしトイレットペーパーを、従来の芯ありトイレットペーパー用のホルダーに装着した際、使用中にペーパーロールが脱落したり、使用中につぶれて回転しなくなったりすること等を回避して、芯なしトイレットペーパーに、従来の芯ありトイレットペーパーと同様の作用効果を担保し得る、芯なしトイレットペーパー用の芯代替物を提供する。【解決手段】芯なしトイレットペーパー２の略円柱形の中心穴４に挿入されて、該芯なしトイレットペーパーと一緒になってトイレットペーパーホルダーに装着される、芯なしトイレットペーパー用芯代替物１であって、上記芯代替物１の外径が、芯なしトイレットペーパーの中心穴の直径の１００％未満かつ３０％以上として芯なしトイレットペーパー用芯代替物を構成する。【選択図】図１
0003154851.tif 000002
【実用新案登録請求の範囲】
【請求項１】
芯なしトイレットペーパーの略円柱形の中心穴に挿入されて、該芯なしトイレットペーパーと一緒になってトイレットペーパーホルダーに装着される、芯なしトイレットペーパー用芯代替物であって、上記芯代替物の外径が、芯なしトイレットペーパーの中心穴の直径の１００％未満かつ３０％以上である、芯なしトイレットペーパー用芯代替物。
【請求項２】
上記芯代替物の外径が、芯なしトイレットペーパーの中心穴の直径の１００％未満かつ７０％以上である請求項１記載の芯なしトイレットペーパー用芯代替物。
【請求項３】
上記芯代替物の外径が、芯なしトイレットペーパーの中心穴の直径の９５％以下かつ７５％以上である請求項１記載の芯なしトイレットペーパー用芯代替物。
【請求項４】
芯なしトイレットペーパーの略円柱形の中心穴の直径が、３５〜４０ｍｍである請求項１〜３のいずれか一つに記載の芯なしトイレットペーパー用芯代替物。
【請求項５】
芯なしトイレットペーパーの略円柱形の中心穴の直径が、３５〜４０ｍｍであり、かつ芯代替物の外径が、３０〜３８ｍｍである請求項１記載の芯なしトイレットペーパー用芯代替物。
【請求項６】
略円柱形であり、かつ中空である請求項１〜５のいずれか一つに記載の芯なしトイレットペーパー用芯代替物。
【請求項７】
プラスチック、金属、木又は紙製の請求項１〜６のいずれか一つに記載の芯なしトイレットペーパー用芯代替物。
【考案の詳細な説明】
【技術分野】
【０００１】
本考案は、芯なしトイレットペーパーに使用する芯代替物に関する。
【背景技術】
【０００２】
従来、トイレットペーパーとしては、厚紙で作られた、幅１１４ｍｍ及び内径３８ｍｍの芯を有し、該芯の周囲に芯の幅と略同一の幅で、通常、約６０ｍの長さにペーパーが巻かれた、いわゆる芯ありトイレットペーパーが主流である。しかし、芯ありトイレットペーパーにおいては、使用後に不要となった芯が残る。このように最終的には廃棄しなければならない芯のためにトイレットペーパーがコスト高を招くと共に、使用後に不要となった芯を廃棄しなければならないという煩わしさがあった。
【０００３】
かかる問題を解決すべく、厚紙で作られた芯を有していない、いわゆる芯なしトイレットペーパーが提案された（特許文献１及び２）。しかし、トイレットペーパーホルダーにセットした状態において、トイレットペーパーの巻き初め部分が解れて、ペーパーロールが回転しなくなる等の問題があった。これを解決するために、更なる提案がなされた（特許文献３及び４）。該芯なしトイレットペーパーは、従来の芯ありトイレットペーパー用のホルダーにそのまま使用することはできる。しかし、従来の芯ありトイレットペーパー用のホルダーには、例えば、図５〜７に示されているような種々の形式のものがあり、芯がないことにより、使用中にペーパーロールがホルダーから脱落したり、又は使用中にペーパーロールがつぶれて回転不能になったりする等の問題があった。
【０００４】
そこで、図８に示されているような、中心穴の直径が従来のトイレットペーパーに比べて著しく小さい、芯なしトイレットペーパーが開発され、かつ販売されている。図８において、右側は従来の芯ありトイレットペーパーである。しかし、このような芯なしトイレットペーパーでは、中央部の穴径が小さ過ぎ、従来型の芯ありトイレットペーパー用ホルダーに装着することができず、該芯なしトイレットペーパー専用のホルダーが必要であった。このため、専用のホルダーを購入、装着しなければならず、従って、該芯なしトイレットペーパーは、家庭等では殆ど使用されていないのが現状である。
【先行技術文献】
【特許文献】
【０００５】
【特許文献１】実公昭５４−４３９６３号公報
【特許文献２】特公昭５５−１１１００号公報
【特許文献３】実公平６−４７３５７号公報
【特許文献４】特開平１０−１３９２２６号公報
【考案の概要】
【考案が解決しようとする課題】
【０００６】
本考案は、芯なしトイレットペーパーの中心穴に挿入して使用し、芯なしトイレットペーパーを、従来の芯ありトイレットペーパー用のホルダーに装着した際、使用中にペーパーロールが脱落したり、使用中につぶれて回転しなくなったりすること等を回避して、芯なしトイレットペーパーに、従来の芯ありトイレットペーパーと同様の作用効果を担保し得る、芯なしトイレットペーパー用の芯代替物を提供するものである。
【課題を解決するための手段】
【０００７】
芯なしトイレットペーパーが普及すれば、使用後に廃棄しなければならない不要な厚紙製芯の製造を大幅に削減できる。従って、トイレットペーパーの製造コストを削減できるのみならず、資源節約をも達成することができる。しかし、中心穴の直径の著しく小さな芯なしトイレットペーパーは、会社、公衆トイレ等では使用されつつあるが、専用のホルダーが必要であることから、一般家庭においては殆ど使用されていない。その一方、従来の芯ありトイレットペーパーと同一の中心穴の直径を有する芯なしトイレットペーパーは、従来のホルダーで使用し得るものの、使用中の脱落やロールのつぶれ等があるため使い勝手が著しく悪く、やはり、家庭等でその使用が敬遠されている傾向がある。本考案者は、如何にすれば、該芯なしトイレットペーパーを家庭に普及させることができるかを検討した。そのためには、まず、従来の芯ありトイレットペーパー用のホルダーが使用できなければならない。また、高価な部品、取り付けに手間のかかる部品等を必要とするものであってはならない。加えて、芯なしトイレットペーパーを使用する際の上記欠点を解決して、使い勝手の良いものにしなければならないことに思い至った。そこで、本考案者は、芯なしトイレットペーパーの中心穴の直径より小さな外径を有する所定の芯代替物を、芯なしトイレットペーパーの中心穴に挿入して使用すれば、上記課題を解決し得ることを見出し、本考案を完成するに至ったのである。このような芯代替物は現在まで知られていない。
【０００８】
即ち、本考案は、
（１）芯なしトイレットペーパーの略円柱形の中心穴に挿入されて、該芯なしトイレットペーパーと一緒になってトイレットペーパーホルダーに装着される、芯なしトイレットペーパー用芯代替物であって、上記芯代替物の外径が、芯なしトイレットペーパーの中心穴の直径の１００％未満かつ３０％以上である、芯なしトイレットペーパー用芯代替物
である。
【０００９】
好ましい態様として、
（２）上記芯代替物の外径が、芯なしトイレットペーパーの中心穴の直径の１００％未満かつ５０％以上である上記（１）記載の芯なしトイレットペーパー用芯代替物、
（３）上記芯代替物の外径が、芯なしトイレットペーパーの中心穴の直径の１００％未満かつ７０％以上である上記（１）記載の芯なしトイレットペーパー用芯代替物、
（４）上記芯代替物の外径が、芯なしトイレットペーパーの中心穴の直径の９８％以下かつ７０％以上である上記（１）記載の芯なしトイレットペーパー用芯代替物、
（５）上記芯代替物の外径が、芯なしトイレットペーパーの中心穴の直径の９５％以下かつ７５％以上である上記（１）記載の芯なしトイレットペーパー用芯代替物、
（６）上記芯代替物の外径が、芯なしトイレットペーパーの中心穴の直径の９０％以下かつ８０％以上である上記（１）記載の芯なしトイレットペーパー用芯代替物、
（７）芯なしトイレットペーパーの略円柱形の中心穴の直径が、２５〜５０ｍｍである上記（１）〜（６）のいずれか一つに記載の芯なしトイレットペーパー用芯代替物、
（８）芯なしトイレットペーパーの略円柱形の中心穴の直径が、３０〜４５ｍｍである上記（１）〜（６）のいずれか一つに記載の芯なしトイレットペーパー用芯代替物、
（９）芯なしトイレットペーパーの略円柱形の中心穴の直径が、３５〜４０ｍｍである上記（１）〜（６）のいずれか一つに記載の芯なしトイレットペーパー用芯代替物、
（１０）芯なしトイレットペーパーの略円柱形の中心穴の直径が、３５〜４０ｍｍであり、かつ芯代替物の外径が、３０〜３８ｍｍである上記（１）記載の芯なしトイレットペーパー用芯代替物、
（１１）芯なしトイレットペーパーの略円柱形の中心穴の直径が、３７〜３９ｍｍであり、かつ芯代替物の外径が、３３〜３５ｍｍである上記（１）記載の芯なしトイレットペーパー用芯代替物、
（１２）略円柱形であり、かつ中空である上記（１）〜（１１）のいずれか一つに記載の芯なしトイレットペーパー用芯代替物、
（１３）プラスチック、金属、木又は紙製の上記（１）〜（１２）のいずれか一つに記載の芯なしトイレットペーパー用芯代替物
を挙げることができる。
【考案の効果】
【００１０】
本考案の芯なしトイレットペーパー用芯代替物は、芯なしトイレットペーパーの中心穴に挿入して使用されることにより、従来の芯ありトイレットペーパー用ホルダーに装着した際、使用中にペーパーロールが脱落したり、使用中につぶれて回転しなくなったりすること等を回避することができる。加えて、従来から広く使用されている芯ありトイレットペーパー用ホルダーに、芯なしトイレットペーパーをそのまま装着することができることから、特別なホルダーを必要としない。使用中に芯なしトイレットペーパーの巻き初め部分が解れても、ペーパーロールが回転しなくなる等の問題を起こさないため、巻き始め部分の接着を強化する等の対策も不要であり、トイレットペーパーの製造コスト削減により貢献し得る。また、長期間慣れ親しんできた芯ありトイレットペーパー用ホルダーをそのまま使用し得ることから、今まで通りの感覚で使用でき、使用法等における新たな知識及び細かい説明を必要とせず、よって、高齢者世帯においても容易に使用することができる。加えて、芯なしトイレットペーパー用芯代替物は安価かつ反復使用可能であることから、家庭等おける経済的負担は殆どない。
【図面の簡単な説明】
【００１１】
【図１】図１は、本考案の芯なしトイレットペーパー用芯代替物を使用して、芯なしトイレットペーパーをホルダーに装着した状態において、トイレットペーパーの長手方向に直角に切った断面図である。
【図２】図２は、本考案の芯なしトイレットペーパー用芯代替物を使用して、芯なしトイレットペーパーをホルダーに装着した状態を示す外観図である。
【図３】図３は、本考案の芯なしトイレットペーパー用芯代替物の一実施態様の概略図である（実施例１）。
【図４】図４は、本考案の芯なしトイレットペーパー用芯代替物の一実施態様の概略図である。
【図５】図５は、従来使用されている芯ありトイレットペーパー用のホルダーの一態様を示した概略図である（実施例１）。
【図６】図６は、従来使用されている芯ありトイレットペーパー用のホルダーの一態様を示した概略図である（実施例２）。
【図７】図７は、従来使用されている芯ありトイレットペーパー用のホルダーの一態様を示した概略図である（実施例３）。
【図８】図８は、中心穴の直径が従来のトイレットペーパーに比べて著しく小さい、芯なしトイレットペーパー（左図）及び従来の芯ありトイレットペーパー（右図）の概略図である。
【考案を実施するための形態】
【００１２】
本考案の芯なしトイレットペーパー用芯代替物は、芯なしトイレットペーパーの略円柱形の中心穴に挿入されて、該芯なしトイレットペーパーと一緒になってトイレットペーパーホルダーに装着される。
【００１３】
本考案の芯代替物が使用される芯なしトイレットペーパーとは、上記特許文献１〜４に開示されているような、中心穴の直径が比較的大きなもの、好ましくは、従来の芯ありトイレットペーパーの中心穴とほぼ同等のものを言う。図８の左側に示されているような、中心穴の直径が、従来の芯ありトイレットペーパーの中心穴に比較して著しく小さく、従来の芯ありトイレットペーパー用ホルダーをそのまま使用することができないものを含まない。
【００１４】
芯なしトイレットペーパーの略円柱形の中心穴の直径は、限定されるものではないが、上限が、好ましくは５０ｍｍ、より好ましくは４５ｍｍ、更に好ましくは４０ｍｍ、より更に好ましくは３９ｍｍである。下限が、好ましくは２５ｍｍ、より好ましくは３０ｍｍ、更に好ましくは３５ｍｍ、より更に好ましくは３７ｍｍである。上記上限を超えては、ペーパーの全長を所定の長さ、例えば、６０ｍにするとトイレットペーパー全体の直径が大きくなって嵩張ると共に、従来の芯ありトイレットペーパー用のホルダーをそのまま使用できないことがある。一方、上記下限未満では、中心穴の直径が小さくなり過ぎて、同様に従来の芯ありトイレットペーパー用のホルダーをそのまま使用できないことがある。芯なしトイレットペーパーとしては、現在市販されている中心穴の直径が、従来の芯ありトイレットペーパーの中心穴の直径（３８ｍｍ）と略同一であるものが好ましい。このような芯なしトイレットペーパーとしては、例えば、丸富製紙株式会社製ペンギンワンタッチコアレス（商標）、春日製紙工業株式会社製コア・ユース（商標）等が知られている。しかし、これらに限定されるものではなく、従来の芯ありトイレットペーパー用のホルダーをそのまま使用することができるものであれば、中心穴の直径にかかわらず、本考案の芯代替物を使用し得る。
【００１５】
本考案の芯なしトイレットペーパー用芯代替物は、芯なしトイレットペーパーの略円柱形の中心穴に挿入されて使用される故、その外径は、芯なしトイレットペーパーの中心穴の直径より小さい。本考案の芯代替物の直径の上限は、芯なしトイレットペーパーの中心穴の直径の１００％未満、好ましくは９８％、より好ましくは９５％、更に好ましくは９０％である。一方、芯代替物の直径の下限は、芯なしトイレットペーパーの中心穴の直径の３０％、好ましくは５０％、より好ましくは７０％、更に好ましくは７５％、より更に好ましくは８０％である。上記上限を超えると、芯代替物の芯なしトイレットペーパーへの挿入が容易ではなくなり、上記下限未満では、トイレットペーパーをホルダーに装着した際の脱落及びペーパーロールのつぶれ等を防止できなくなる。
【００１６】
現在市販されている芯ありトイレットペーパー及び芯なしトイレットペーパーの中心穴の直径は約３８ｍｍである。従って、これらトイレットペーパーのホルダーをそのまま使用することを考慮すれば、芯なしトイレットペーパーの略円柱形の中心穴の直径は、好ましくは３５〜４０ｍｍ、より好ましくは３７〜３９ｍｍであり、かつ芯代替物の外径は、好ましくは３０〜３８ｍｍ、より好ましくは３２〜３５ｍｍである。現在市販されている中心穴の直径が約３８ｍｍの芯なしトイレットペーパーに場合には、芯代替物の外径は３２〜３５ｍｍであることが好ましい。上記の通りであるが、芯代替物の外径は芯なしトイレットペーパーの中心穴の直径に応じて適宜定めることができる。また、芯代替物の長さに特に限定はなく、芯代替物を芯なしトイレットペーパーに装入した状態で、これらをトイレットペーパーホルダーに取り付け可能であればよい。現在市販されているトイレットペーパーの幅が約１１４ｍｍであることから、それと同等程度であることが好ましい。
【００１７】
本考案の芯なしトイレットペーパー用芯代替物は、長手方向に対して直角に切った断面が円形、楕円形又は三角形、四角形等の多角形の柱状であることができる。そのなかでも、図３に示されているような円柱中空体であることが好ましい。また、図４に示されているような鍔付きのものであることもできる。鍔付きのものにおいては、鍔の一方が差し込み式等になっていて、芯代替物をトイレットペーパーの中心穴に挿入した後に、他方の鍔をはめ込む方式等を採用し得る。また、芯なしトイレットペーパー用芯代替物は、好ましくはプラスチック、金属、木又は紙製である。プラスチックが軽量、安価かつ加工性に富んでいることからより好ましい。該芯代替物には、芳香剤、消臭剤、抗菌剤等を付与することができる。また、花柄、チェック等の各種模様を付けることもできる。各種模様を付けることにより、各家庭又は個人の趣味に合ったオリジナリティーを有する芯代替物とすることもできる。
【００１８】
本考案の芯なしトイレットペーパー用芯代替物が芯なしトイレットペーパーと一緒になって取り付けられるトイレットペーパーホルダーは、現在広く使用されている芯ありトイレットペーパー用のホルダーである。トイレットペーパーの略円柱形の中心穴に棒状体を通して保持するタイプのものである。ここで、棒状体は中心穴に完全に通されるものに限らず、両側から引っかけるタイプのもの等も含まれる。例えば、図５、６及び７に記載されたもの等が挙げられる。
【００１９】
以下の実施例において、本考案を更に詳細に説明するが、本考案はこれら実施例により限定されるものではない。
【００２０】
（実施例）
（実施例１）
厚さ約１ｍｍの厚紙を使用して、外径約３４ｍｍ及び長さ約１１４ｍｍの、長さ方向に直角に切った断面が略円形の中空体を製造した。これを芯なしトイレットペーパー用芯代替物として使用した。図３には該芯なしトイレットペーパー用芯代替物の概略を示した。該芯代替物を市販の芯なしトイレットペーパー［丸富製紙株式会社製ペンギンワンタッチコアレス（商標）］の直径約３８ｍｍの中心穴に挿入した。次いで、芯なしトイレットペーパーと一緒に該芯代替物を、図５に示されているトイレットペーパーホルダーに装着した。図１には、芯なしトイレットペーパーと共に、該芯代替物をトイレットペーパーホルダーに装着したときの断面の状態を示した。図５に示されているトイレットペーパーホルダーは、現在、最も一般的に使用されているワンタッチタイプのものであり、トイレットペーパーを下から上へと持ち上げるようにしてホルダー内部へと装填するものである。
【００２１】
この状態でトイレットペーパーがなくなるまで使用した。トイレットペーパーの量が少なくなっても、トイレットペーパー引き出し時に、トイレットペーパーがホルダーから脱落することもなく、かつペーパーロールがつぶれて回転不能になることもなかった。
【００２２】
（比較例１）
上記の芯なしトイレットペーパー用芯代替物を使用しなかったこと以外は、実施例１と同一に実施した。その結果、トイレットペーパーの量が少なくなった状態で、トイレットペーパーを引き出した時、トイレットペーパーがつぶれてホルダーから脱落したり、また、ペーパーロールがつぶれて回転不能になったりした。
【００２３】
（実施例２）
図６に示されているトイレットペーパーホルダーを使用した以外は、実施例１と同一に実施した。実施例１と同様に、トイレットペーパーの量が少なくなっても、トイレットペーパー引き出し時に、トイレットペーパーがホルダーから脱落することもなく、かつペーパーロールがつぶれて回転不能になることもなかった。該トイレットペーパーホルダーは、ホルダーのペーパー支え棒６を左右に移動してホルダーの側壁８から取り外し、トイレットペーパーの中心穴にペーパー支え棒６を挿入した後に、再び側壁８に取り付けて、トイレットペーパーを装填するタイプのものであり、少し前にはよく見られたタイプのもので、現在でも古い住宅では一般的に見られる。
【００２４】
（比較例２）
上記の芯なしトイレットペーパー用芯代替物を使用しなかったこと以外は、実施例２と同一に実施した。その結果、トイレットペーパーの量が少なくなった状態で、トイレットペーパーを引き出した時、ペーパーロールがつぶれて回転不能になることが度々あった。
【００２５】
（実施例３）
図７に示されているトイレットペーパーホルダーを使用した以外は、実施例１と同一に実施した。実施例１と同様に、トイレットペーパーの量が少なくなっても、トイレットペーパーを引き出した時に、トイレットペーパーがホルダーから脱落することもなく、かつペーパーロールがつぶれて回転不能になることもなかった。該トイレットペーパーホルダーは、ホルダーのペーパー支え棒６を手前に引いて回転させ、トイレットペーパー差し込み部分９からトイレットペーパーを装填して、ホルダーの回転部分１０の力を利用してトイレットペーパーを壁に固定するタイプのものであり、おしゃれを重視した住宅でよく見られるタイプのもので、他にも意匠的な工夫がいろいろとなされている。
【００２６】
（比較例３）
上記の芯なしトイレットペーパー用芯代替物を使用しなかったこと以外は、実施例３と同一に実施した。その結果、トイレットペーパーの量が少なくなった状態で、トイレットペーパーを引き出した時、ペーパーロールがつぶれて回転不能になることが度々あった。
【産業上の利用可能性】
【００２７】
本考案の芯なしトイレットペーパー用芯代替物を使用すれば、従来から広く使用されている芯ありトイレットペーパー用ホルダーに、芯なしトイレットペーパーをそのまま装着することができて、ペーパーロールが脱落したり、使用中につぶれて回転しなくなったりすること等を回避することができる。加えて、該芯なしトイレットペーパー用芯代替物は安価である。従って、広く一般家庭での芯なしトイレットペーパーの使用が期待できる。故に、不要な厚紙製芯の廃棄が削減されてゴミ処理等の軽減がなされると共に、省資源にも役立つことが期待される。また、本考案の芯なしトイレットペーパー用芯代替物はトイレットペーパーのみならず、例えば、ロール状のキッチンペーパー等にも利用可能である。
【符号の説明】
【００２８】
１  芯なしトイレットペーパー用芯代替物
１’  芯なしトイレットペーパー用芯代替物（鍔あり）
２  芯なしトイレットペーパー
３  トイレットペーパーホルダーのペーパー支え棒
４  トイレットペーパーの中心穴
５  鍔
６  トイレットペーパーホルダーのペーパー支え棒
７  ペーパーカッター付き上蓋
８  トイレットペーパーホルダーの側壁
９  トイレットペーパー差し込み部分
１０  トイレットペーパーホルダーの回転部分
１１  中心穴が著しく小さい芯なしトイレットペーパー
１２  従来の芯ありトイレットペーパー
【図１】
0003154851.tif 000003
【図３】
0003154851.tif 000004
【図４】
0003154851.tif 000005
【図６】
0003154851.tif 000006
【図７】
0003154851.tif 000007
【図８】
0003154851.tif 000008
【図２】
0003154851.tif 000009
【図５】
0003154851.tif 000010